(57)【要約】      （修正有）【課題】携帯型データ保存装置のデータの安全を保護するデータをエンコード／デコードする転換装置を提供する。【解決手段】データをエンコード／デコードする転換装置は、データエンコーダ／デコーダ機構１、データエンコーダ／デコーダ機構１と連接する第一伝送インターフェース２、第二伝送インターフェース３、外付けインターフェース４からなる。これにより第一伝送インターフェース２を利用し、コンピューターと連結し、第二伝送インターフェース３或いは外付けインターフェース４により、関連する保存設備への連結を提供する。これによりコンピューターが保存設備に伝送したデータ、或いは保存設備がコンピューターに伝送したデータは、エンコーダ／デコーダ機構１により、エンコード／デコードの保存と読取り／書込みを行い、データを保護する。【選択図】図２
0003165608.tif 000002
【実用新案登録請求の範囲】
【請求項１】
データをエンコード/デコードする転換装置は、データエンコーダ/デコーダ機構、該データエンコーダ/デコーダ機構と連接する第一伝送インターフェース、該データエンコーダ/デコーダ機構と連接する第二伝送インターフェース、該データエンコーダ/デコーダ機構と連接する外付けインターフェースからなることを特徴とするデータをエンコード/デコードする転換装置。
【請求項２】
前記データエンコーダ/デコーダ機構は、処理ユニット、該処理ユニットと連接するメモリーユニット、該処理ユニットと連接する電源コントロールユニット、該処理ユニットと連接する表示ユニット、該処理ユニットと連接するエンコーダ/デコーダ演算ユニット、該処理ユニットと連接する第一伝送インターフェースコントロールユニット、該処理ユニットと連接する第二伝送インターフェースコントロールユニット、該処理ユニットと連接する外付けインターフェースコントロールユニットを備えることを特徴とする請求項１に記載のデータをエンコード/デコードする転換装置。
【請求項３】
前記第一伝送インターフェースコントロールユニットは、USB装置であることを特徴とする請求項２に記載のデータをエンコード/デコードする転換装置。
【請求項４】
前記第二伝送インターフェースコントロールユニットは、USBホストであることを特徴とする請求項２に記載のデータをエンコード/デコードする転換装置。
【請求項５】
前記外付けインターフェースコントロールユニットは、メモリーカードコントロールユニット及びスマートカードコントロールユニットを備えることを特徴とする請求項２に記載のデータをエンコード/デコードする転換装置。
【請求項６】
前記第一伝送インターフェースは、USBコネクターであることを特徴とする請求項１に記載のデータをエンコード/デコードする転換装置。
【請求項７】
前記第二伝送インターフェースは、USBソケットであることを特徴とする請求項１に記載のデータをエンコード/デコードする転換装置。
【請求項８】
前記外付けインターフェースは、メモリーカードスロット及びスマートカードスロットを備えることを特徴とする請求項１に記載のデータをエンコード/デコードする転換装置。
【請求項９】
前記データエンコーダ/デコーダ機構、該第一伝送インターフェース、該第二伝送インターフェース、該外付けインターフェースは、回路板上に設置し、しかもハウジング中に結合し、
該第一伝送インターフェースは、該ハウジング一端に設置し、
該第二伝送インターフェースは、該ハウジング反対端に設置し、
しかも、該外付けインターフェースは、該ハウジングの片側に設置することを特徴とする請求項１に記載のデータをエンコード/デコードする転換装置。
【考案の詳細な説明】
【技術分野】
【０００１】
本考案はデータをエンコード/デコードする転換装置に関し、特にコンピューターが保存設備に伝送したデータ、或いは保存設備がコンピューターに伝送したデータに対して、エンコーダ/デコーダ機構により、エンコード/デコードの保存と読取り/書込みを行い、こうしてデータの安全を保護する効果を達成するデータをエンコード/デコードする転換装置に関する。
【背景技術】
【０００２】
デジタル時代の到来で、携帯、複製可能なデジタルコンテンツデータの取得と伝達が容易になっている。
そのため、デジタルデータの安全管理の重要性も増している。
一般の電子製品中に大量に採用されているポータブルディスク、ハードディスク、メモリーカード、スマートカード等の携帯式デジタル保存設備は、コンパクトで軽量、かつ省エネで容量が大きい等の長所がある。
【０００３】
しかし、携帯に便利であるため、遺失し易いという欠点がある。
しかも、一般の携帯式デジタル保存設備は、ファイルデータの保存時に、通常はデータを直接保存、或いは直接コピー及びペーストできるだけで、データに対してセキュリティ保護の動作を行うことはできない。
そのため、該携帯式デジタル保存設備を遺失、或いは盗難にあったりすれば、該保存設備中に保存されているファイルデータをだれでも簡単に読み取ることができる。
もし、ファイル中にプライバシーに関わる、或いは機密に関するデータがあったりすれば、個人（或いは企業）のプライバシー及び機密は、極めて簡単に漏れてしまい、個人（或いは企業）の権益或いは利益が侵されてしまう。
本考案は、従来のデータをエンコード/デコードする転換装置の上記した欠点に鑑みてなされたものである。
【考案の概要】
【考案が解決しようとする課題】
【０００４】
本考案が解決しようとする課題は、第一伝送インターフェースを利用し、コンピューターと連結し、第二伝送インターフェース或いは外付けインターフェースにより、関連する保存設備への連結を提供し、これによりコンピューターが保存設備に伝送したデータ、或いは保存設備がコンピューターに伝送したデータは、エンコーダ/デコーダ機構により、エンコード/デコードの保存と読取り/書込みを行われ、こうしてデータの安全を保護する効果を達成するデータをエンコード/デコードする転換装置を提供することである。
【課題を解決するための手段】
【０００５】
上記課題を解決するため、本考案は下記のデータをエンコード/デコードする転換装置を提供する。
データをエンコード/デコードする転換装置は、データエンコーダ/デコーダ機構、該データエンコーダ/デコーダ機構と連接する第一伝送インターフェース、該データエンコーダ/デコーダ機構と連接する第二伝送インターフェース、該データエンコーダ/デコーダ機構と連接する外付けインターフェースからなる。
【考案の効果】
【０００６】
本考案のデータをエンコード/デコードする転換装置は、コンピューターが保存設備に伝送したデータ、或いは保存設備がコンピューターに伝送したデータを、エンコーダ/デコーダ機構により、エンコード/デコードの保存と読取り/書込みを行い、データの安全を保護する効果を達成することができる。
【図面の簡単な説明】
【０００７】
【図１】本考案の立体外観模式図である。
【図２】本考案の基本構造のブロックチャートである。
【図３】本考案の使用状態を示す模式図である。
【考案を実施するための形態】
【０００８】
以下に図面を参照しながら本考案を実施するための最良の形態について詳細に説明する。
【実施例】
【０００９】
本考案の立体外観模式図及び本考案基本構造のブロックチャートである図１、２に示すように、本考案データをエンコード/デコードする転換装置は、少なくともデータエンコーダ/デコーダ機構１、第一伝送インターフェース２、第二伝送インターフェース３、外付けインターフェース４からなる。
【００１０】
該データエンコーダ/デコーダ機構１、該第一伝送インターフェース２、該第二伝送インターフェース３、該外付けインターフェース４は、回路板５１上に設置し、しかもハウジング５中に結合する。
【００１１】
該第一伝送インターフェース２は、該ハウジング５一端に設置し、該第二伝送インターフェース３は、該ハウジング５反対端に設置する。
【００１２】
しかも、該外付けインターフェース４は、該ハウジング５の片側に設置する。
【００１３】
該データエンコーダ/デコーダ機構１は、処理ユニット１１、該処理ユニット１１と連接するメモリーユニット１２、該処理ユニット１１と連接する電源コントロールユニット１３、該処理ユニット１１と連接する表示ユニット１４、該処理ユニット１１と連接するエンコーダ/デコーダ演算ユニット１５、該処理ユニット１１と連接する第一伝送インターフェースコントロールユニット１６、該処理ユニット１１と連接する第二伝送インターフェースコントロールユニット１７、該処理ユニット１１と連接する外付けインターフェースコントロールユニット１８を備える。
【００１４】
該第一伝送インターフェースコントロールユニット１６は、USB Device(USBデバイス)で、該第二伝送インターフェースコントロールユニット１７は、USB Host(USBホスト)である。
【００１５】
該外付けインターフェースコントロールユニット１８は、メモリーカードコントロールユニット１８１及びスマートカードコントロールユニット１８２を備える。
【００１６】
該第一伝送インターフェース２は、該データエンコーダ/デコーダ機構１と連接し、しかも該第一伝送インターフェースコントロールユニット１６によりコントロールされる。
【００１７】
該第一伝送インターフェース２は、USBコネクターである。
【００１８】
該第二伝送インターフェース３は、該データエンコーダ/デコーダ機構１と連接し、しかも該第二伝送インターフェースコントロールユニット１７によりコントロールされる。
【００１９】
該第二伝送インターフェース３は、USBソケットである。
【００２０】
該各外付けインターフェース４は、該データエンコーダ/デコーダ機構１と連接する。
【００２１】
しかも、該各外付けインターフェース４は、メモリーカードスロット４１及びスマートカードスロット４２を備える。
【００２２】
該メモリーカードスロット４１及び該スマートカードスロット４２は、該外付けインターフェースコントロールユニット１８のメモリーカードコントロールユニット１８１及びスマートカードコントロールユニット１８２によりコントロールされる。
【００２３】
本考案の使用状態を示す模式図である図３に示すように、本考案の運用時（合わせて図１、２参照）には、該第一伝送インターフェース２とコンピューター６とを挿入接続して連結する。
【００２４】
しかも、関連するポータブルディスク７０、ハードディスク７１、メモリーカード７２或いはスマートカード７３等の保存設備と該第二伝送インターフェース３或いは該外付けインターフェース４とを、挿入接続して連結する。
【００２５】
コンピューター６中のファイルデータを、本考案を通して、ポータブルディスク７０、ハードディスク７１、メモリーカード７２或いはスマートカード７３等保存設備に送ろうとする時には、該第一伝送インターフェースコントロールユニット１６は、コンピューター６エンドのコマンド或いはデータを受け取り、該処理ユニット１１を経て処理後、コンピューター６の状態或いはデータをフィードバックする。
【００２６】
しかも、該第二伝送インターフェースコントロールユニット１７により、ポータブルディスク７０或いはハードディスク７１のUSBコネクターの読取り/書込みコントロールを提供する。
【００２７】
また、該外付けインターフェースコントロールユニット１８のメモリーカードコントロールユニット１８１及びスマートカードコントロールユニット１８２により、メモリーカード７２とスマートカード７３の読取り/書込みコントロールを提供する。
【００２８】
エンコードを行う時には、該データエンコーダ/デコーダ機構１の処理ユニット１１により、装置全体の作動プロセスをコントロールする。
【００２９】
しかも、該メモリーユニット１２により、プログラムコードの保存、及び装置作動過程中のデータの一時保存を行う。
【００３０】
さらに、該電源コントロールユニット１３に対応して、コンピューター６は、該第一伝送インターフェース２が提供する電源（約５V）を、装置内部で作動時に必要な電源に転換し、各保存設備に提供する。
【００３１】
しかも、該エンコーダ/デコーダ演算ユニット１５を利用し、ファイルデータのエンコード演算を行い、同時にパスワードのインプットを行う。
【００３２】
コンピューター６がファイルに書き込む過程において、該データエンコーダ/デコーダ機構１を利用し、ファイルデータのエンコードを自動的に外部のポータブルディスク７０、ハードディスク７１、メモリーカード７２或いはスマートカード７３等保存設備中に書き込み、こうしてデータの安全を保護する効果を達成する。
【００３３】
該エンコード後のファイルデータを読取り/書込みしようとする時には、コンピューター６により該ファイルデータの選択を行い、エンコードされたファイルを読み取ると同時に、自動的にファイルをデコード、或いは関連するパスワードをインプットし、さらに該データエンコーダ/デコーダ機構１によりデコードする。
【００３４】
もし、該エンコードされたファイルデータの保存装置が、該データエンコーダ/デコーダ機構１を通さずに直接コンピューター６により、或いは該データエンコーダ/デコーダ機構１を通すが、パスワードが間違っている場合には、該エンコードされたファイルデータは、隠され、アクセスすることができない。
【００３５】
また、本考案が関連動作を執行する時には、該表示ユニット１４を利用し、関連する作業の状態を表示し、これにより使用者は判読することができる。
【００３６】
本考案は、実際の運用時に、少なくとも以下の効果を達成することができる。
1. 一般のメモリーカード７２を、プロテクトされたメモリーカードとでき、一般のポータブルディスク７０を、プロテクトされたポータブルディスクとでき、一般のモバイルハードディスク７１を、プロテクトされたモバイルハードディスクとでき、製品の付加価値を高めることができるため、高いコストを費やして特別なエンコードポータブルディスク或いはエンコードハードディスクを購入する必要がなく、既存の保存装置を利用するだけで良いため、経済的で環境にもやさしい。
2. ハードウェアの方式で、装置ファイルの内容データをデコードできるため、過程が迅速で、しかもプロテクトが破られにくい。
3. ドライバプログラムとオペレーションシステムをインストールする必要がないため、あらゆるコンピューター６上で、インストールプロセスを経なくてもそのまま使用することができる。
4. スマートカード７３の個人的プロテクト管理とすることができる。
【００３７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３８】
上記したように、本考案は実用新案登録の要件である新規性を備え、従来の同類製品に比べ十分な進歩を有し、実用性が高く、社会のニーズに合致しており、産業上の利用価値は非常に大きい。
すなわち、本考案データをエンコード/デコードする転換装置は、第一伝送インターフェースを利用し、コンピューターと連結し、第二伝送インターフェース或いは外付けインターフェースにより、関連する保存設備への連結を提供し、これによりコンピューターが保存設備に伝送したデータ、或いは保存設備がコンピューターに伝送したデータは、エンコーダ/デコーダ機構により、エンコード/デコードの保存と読取り/書込みを行われ、こうしてデータの安全を保護する効果を達成することができる。
さらに、本考案から派生した製品は、現在の市場ニーズに応えることができる。
【符号の説明】
【００３９】
１      データエンコーダ/デコーダ機構
１１    処理ユニット
１２    メモリーユニット
１３    電源コントロールユニット
１４    表示ユニット
１５    エンコーダ/デコーダ演算ユニット
１６    第一伝送インターフェースコントロールユニット
１７    第二伝送インターフェースコントロールユニット
１８    外付けインターフェースコントロールユニット
１８１  メモリーカードコントロールユニット
１８２  スマートカードコントロールユニット
２      第一伝送インターフェース
３      第二伝送インターフェース
４      外付けインターフェース
４１    メモリーカードスロット
４２    スマートカードスロット
５      ハウジング
５１    回路板
６      コンピューター
７０    ポータブルディスク
７１    ハードディスク
７２    メモリーカード
７３    スマートカード
【図１】
0003165608.tif 000003
【図２】
0003165608.tif 000004
【図３】
0003165608.tif 000005